(57)【要約】【課題】ホール呼び釦の故障を正確に検出することができるエレベータ監視装置の提供。【解決手段】エレベータの異常の有無を監視するエレベータ監視装置において、ホール呼び釦２１のアップ釦２１ａの押下回数を各階床のホール毎に計測して記録するアップ釦押下回数計測部と、ホール呼び釦２１のダウン釦２１ｂの押下回数を各階床のホール毎に計測して記録するダウン釦押下回数計測部と、計測された前週の一週間のアップ釦２１ａの押下回数と今週の一週間のアップ釦２１ａの押下回数とを各階床のホール毎に比較してアップ釦２１ａが故障したかどうかを判断するアップ釦故障判断部と、計測された前週の一週間のダウン釦２１ｂの押下回数と今週の一週間のダウン釦２１ｂの押下回数とを各階床のホール毎に比較してダウン釦２１ｂが故障したかどうかを判断するダウン釦故障判断部とを備えた。【選択図】図１
2014088228.tif 000002
【特許請求の範囲】
【請求項１】
昇降路内を昇降するかごと、このかご内に設けられ、行先階への呼び登録を行うかご呼び釦と、各階床のホールに設けられ、前記各階床のホールへの呼び登録を行うホール呼び釦と、これらのかご呼び釦及びホール呼び釦の呼び登録に基づいて前記かごの運行を制御するエレベータ制御装置とを備え、前記ホール呼び釦は、前記各階床のホールのうち前記かごの到着階よりも上層階のホールへ移動するために押下されるアップ釦と、前記各階床のホールのうち前記かごの到着階よりも下層階のホールへ移動するために押下されるダウン釦との少なくとも一方を有するエレベータに設けられ、このエレベータの異常の有無を監視するエレベータ監視装置において、
前記アップ釦の押下回数を前記各階床のホール毎に計測して記録するアップ釦押下回数計測部と、
前記ダウン釦の押下回数を前記各階床のホール毎に計測して記録するダウン釦押下回数計測部と、
前記アップ釦押下回数計測部によって計測された前記アップ釦の押下回数のうち、過去の所定の期間におけるアップ釦の押下回数と現在の所定の期間におけるアップ釦の押下回数とを前記各階床のホール毎に比較して前記アップ釦が故障したかどうかを判断するアップ釦故障判断部と、
前記ダウン釦押下回数計測部によって計測された前記ダウン釦の押下回数のうち、過去の所定の期間におけるダウン釦の押下回数と現在の所定の期間におけるダウン釦の押下回数とを前記各階床のホール毎に比較して前記ダウン釦が故障したかどうかを判断するダウン釦故障判断部とを備えたことを特徴とするエレベータ監視装置。
【請求項２】
請求項１に記載のエレベータ監視装置において、
前記アップ釦故障判断部は、前記現在の所定の期間における前記アップ釦の押下回数の割合が前記過去の所定の期間における前記アップ釦の押下回数の割合よりも小さかったとき、前記ダウン釦押下回数計測部によって計測された前記ダウン釦の押下回数のうち、該当する階床のホールの前記過去の所定の期間におけるダウン釦の押下回数と前記現在の所定の期間におけるダウン釦の押下回数とを比較して前記アップ釦が故障したかどうかを判断することを特徴とするエレベータ監視装置。
【請求項３】
請求項１に記載のエレベータ監視装置において、
前記ダウン釦故障判断部は、前記現在の所定の期間における前記ダウン釦の押下回数の割合が前記過去の所定の期間における前記ダウン釦の押下回数の割合よりも小さかったとき、前記アップ釦押下回数計測部によって計測された前記アップ釦の押下回数のうち、該当する階床のホールの前記過去の所定の期間におけるアップ釦の押下回数と前記現在の所定の期間におけるアップ釦の押下回数とを比較して前記ダウン釦が故障したかどうかを判断することを特徴とするエレベータ監視装置。
【請求項４】
請求項１に記載のエレベータ監視装置において、
前記かご呼び釦の押下回数を前記行先階毎に計測して記録するかご呼び釦押下回数計測部を備え、
前記アップ釦故障判断部は、前記現在の所定の期間における前記アップ釦の押下回数の割合が前記過去の所定の期間における前記アップ釦の押下回数の割合よりも小さかったとき、前記かご呼び釦押下回数計測部によって計測された前記かご呼び釦の押下回数のうち、該当する階床のホールを前記行先階とする前記過去の所定の期間におけるかご呼び釦の押下回数と前記現在の所定の期間におけるかご呼び釦の押下回数とを比較して前記アップ釦が故障したかどうかを判断することを特徴とするエレベータ監視装置。
【請求項５】
請求項１に記載のエレベータ監視装置において、
前記かご呼び釦の押下回数を前記行先階毎に計測して記録するかご呼び釦押下回数計測部を備え、
前記ダウン釦故障判断部は、前記現在の所定の期間における前記ダウン釦の押下回数の割合が前記過去の所定の期間における前記ダウン釦の押下回数の割合よりも小さかったとき、前記かご呼び釦押下回数計測部によって計測された前記かご呼び釦の押下回数のうち、該当する階床のホールを前記行先階とする前記過去の所定の期間におけるかご呼び釦の押下回数と前記現在の所定の期間におけるかご呼び釦の押下回数とを比較して前記ダウン釦が故障したかどうかを判断することを特徴とするエレベータ監視装置。
【発明の詳細な説明】
【技術分野】
【０００１】
本発明は、エレベータの異常の有無を監視するエレベータ監視装置に係り、特にエレベータのかごをホールに呼び寄せるホール呼び釦の故障を検出するエレベータ監視装置に関する。
【背景技術】
【０００２】
この種のエレベータ監視装置の従来技術の１つとして、エレベータのかご操作盤に複数の行先階釦から成る押釦が設けられ、これらの押釦の作動不全を検出する押釦作動不全検出装置を備えたエレベータの押釦故障検出装置が知られている（例えば、特許文献１参照）。
【０００３】
このエレベータの押釦故障検出装置の押釦作動不全検出装置は、時限装置及び押釦のそれぞれに対して押圧された特定押釦の押圧回数を記録する押圧回数記録装置が設けられて特定押釦の押圧回数が時限装置における所定の長時間において長時間所定回数に対して過小であるときに作動して特定押釦の作動不全を検出するようにしている。
【先行技術文献】
【特許文献】
【０００４】
【特許文献１】特開２００５−２９３０１号公報
【発明の概要】
【発明が解決しようとする課題】
【０００５】
特許文献１に開示された従来技術のエレベータの押釦故障検出装置では、押釦のそれぞれに対して押圧された特定押釦の具体例として、例えばホールに設けられたホール呼び釦を挙げると、このホール呼び釦が実際に作動不全を生じていなくても、エレベータの使用頻度が少なかった場合には、ホール呼び釦の押圧回数が時限装置における所定の長時間において長時間所定回数に対して過小になるので、押釦作動不全検出装置が正常に動作するホール呼び釦を作動不全として誤って検出することが問題になっている。特に、時限装置における所定の長時間が祝日や長期休暇等のようにエレベータの使用頻度が少ない時間であれば、押釦作動不全検出装置によるホール呼び釦の故障の誤検出がより顕著になる。
【０００６】
このように、従来技術のエレベータの押釦故障検出装置は、実際にホール呼び釦に作動不全が生じているためにホール呼び釦の押下回数が過小であるのか、あるいはエレベータの使用頻度が少ないためにホール呼び釦の押下回数が過小であるのかを正しく判定することができず、ホール呼び釦の故障の検出精度が低いことが問題になっている。
【０００７】
本発明は、このような従来技術の実情からなされたもので、その目的は、ホール呼び釦の故障を正確に検出することができるエレベータ監視装置を提供することにある。
【課題を解決するための手段】
【０００８】
上記の目的を達成するために、本発明のエレベータ監視装置は、昇降路内を昇降するかごと、このかご内に設けられ、行先階への呼び登録を行うかご呼び釦と、各階床のホールに設けられ、前記各階床のホールへの呼び登録を行うホール呼び釦と、これらのかご呼び釦及びホール呼び釦の呼び登録に基づいて前記かごの運行を制御するエレベータ制御装置とを備え、前記ホール呼び釦は、前記各階床のホールのうち前記かごの到着階よりも上層階のホールへ移動するために押下されるアップ釦と、前記各階床のホールのうち前記かごの到着階よりも下層階のホールへ移動するために押下されるダウン釦との少なくとも一方を有するエレベータに設けられ、このエレベータの異常の有無を監視するエレベータ監視装置において、前記アップ釦の押下回数を前記各階床のホール毎に計測して記録するアップ釦押下回数計測部と、前記ダウン釦の押下回数を前記各階床のホール毎に計測して記録するダウン釦押下回数計測部と、前記アップ釦押下回数計測部によって計測された前記アップ釦の押下回数のうち、過去の所定の期間におけるアップ釦の押下回数と現在の所定の期間におけるアップ釦の押下回数とを前記各階床のホール毎に比較して前記アップ釦が故障したかどうかを判断するアップ釦故障判断部と、前記ダウン釦押下回数計測部によって計測された前記ダウン釦の押下回数のうち、過去の所定の期間におけるダウン釦の押下回数と現在の所定の期間におけるダウン釦の押下回数とを前記各階床のホール毎に比較して前記ダウン釦が故障したかどうかを判断するダウン釦故障判断部とを備えたことを特徴としている。
【発明の効果】
【０００９】
本発明のエレベータ監視装置によれば、ホール呼び釦の故障を正確に検出することができる。前述した以外の課題、構成及び効果は、以下の実施形態の説明により明らかにされる。
【図面の簡単な説明】
【００１０】
【図１】本発明に係るエレベータ監視装置の一実施形態の構成を示す図である。
【図２】本実施形態に係るエレベータのかご内におけるかごドア及びかご呼び釦を示す図である。
【図３】本実施形態に係る各階床のホールにおけるホールドア及びホール呼び釦を示す図である。
【図４】本実施形態に係る記憶部に記録された各行先階毎のかご呼釦の押下回数と利用率、各階床のホール毎のアップ釦の押下回数と利用率、及び各階床のホール毎のダウン釦の押下回数と利用率を示す図である。
【図５】本実施形態に係る各階床のホールのアップ釦のうち２階のホールのアップ釦が故障したときのアップ釦、ダウン釦、及びかご呼び釦の利用率の変化を示す図である。
【図６】本実施形態に係るエレベータ監視装置の動作を説明するフローチャートである。
【発明を実施するための形態】
【００１１】
以下、本発明に係るエレベータ監視装置を実施するための形態を図に基づいて説明する。
【００１２】
図１に示すように、本発明の一実施形態に係るエレベータ監視装置１２は、例えば５階建ての建物に設置されたエレベータに設けられ、このエレベータの異常の有無を監視するようになっている。また、エレベータ監視装置１２は、例えばエレベータに発生した異常の対応を行うエレベータ保守会社の管制センター１４に通信回線３０を介して接続されており、エレベータの異常を検出したときにその旨を管制センター１４へ通報するようにしている。
【００１３】
上述したエレベータは、例えば図１、図２に示すように昇降路内を昇降するかご１と、このかご１の出入口に開閉可能に設けられたかごドア１８と、かご１内においてかごドア１８が設けられた壁面に取り付けられ、行先階への呼び登録を行うかご呼び釦１９とを備えている。このかご呼び釦１９は、例えば行先階が表示された数字が下から上に向かって大きくなるように上下に１列に並んで配列された５つの押釦から成っている。なお、図２では見易いように行先階として１〜３階を示す押釦が図示されており、他の行先階である４階及び５階を示す押釦は省略されている。
【００１４】
さらに、エレベータは、例えば図１、図３に示すように各階床のホールに開閉可能に設けられ、かごドア１８と連動して開閉するホールドア２０と、各階床のホールにおいてホールドア２０が設けられた壁面に取り付けられ、各階床のホールへの呼び登録を行うホール呼び釦２１とを備えている。なお、図１では便宜的に行先階として１階、２階、及び５階を示すホール呼び釦２１が図示されており、他の行先階である３階及び４階を示すホール呼び釦は省略されている。
【００１５】
ホール呼び釦２１は、例えば図３に示すように各階床のホールのうちかご１の到着階よりも上層階のホールへ移動するために押下されるアップ釦２１ａと、各階床のホールのうちかご１の到着階よりも下層階のホールへ移動するために押下されるダウン釦２１ｂとの少なくとも一方を有している。
【００１６】
本実施形態では、２階〜４階のホールのホール呼び釦２１は、例えば図１に示すようにアップ釦２１ａ及びダウン釦２１ｂの双方をそれぞれ有しており、１階のホールのホール呼び釦２１は、例えばアップ釦２１ａを有しており、５階のホールのホール呼び釦２１は、例えばダウン釦２１ｂを有している。
【００１７】
エレベータは、上述したかご呼び釦１９及びホール呼び釦２１の呼び登録に基づいてかご１の運行を制御するエレベータ制御装置８を備えている。このエレベータ制御装置８は、例えばかご１のかご呼び釦１９及び各階床のホールのホール呼び釦２１の入力信号を含むエレベータの各種の信号が入力され、入力された信号に応じて動作処理を行うエレベータ制御部５と、このエレベータ制御部５が動作処理を行うのに必要な動作プログラムを含むエレベータの各種の情報が記憶された記憶部７と、エレベータ監視装置１２からの指令を受信し、受信した指令に基づいてエレベータ制御部５が取得したエレベータの各種の信号情報をエレベータ監視装置１２へ送信する送受信部６とを有している。
【００１８】
エレベータ監視装置１２は、例えばエレベータ制御装置８の送受信部６に接続され、この送受信部６と各種の信号を送受信する送受信部１１と、この送受信部１１から受信したかご１のかご呼び釦１９及び各階床のホールのホール呼び釦２１の入力信号等に応じて動作処理を行い、エレベータの異常を検出すると共に、エレベータ制御装置８のエレベータ制御部５の動作を制御する制御部１０と、この制御部１０が動作処理を行うのに必要な動作プログラムを含むエレベータに関する各種の情報が記憶された記憶部９と、管制センター１４と通信回線３０を介して接続され、制御部１０によって検出されたエレベータの異常に関する情報を送信すると共に、管制センター１４から様々な設定データを受信する通信部１３とを有している。
【００１９】
管制センター１４は、例えばエレベータ監視装置１２の通信部１３に通信回線３０を介して接続され、この通信部１３と各種のデータの通信を行う通信部１７と、この通信部１７を介してエレベータ監視装置１２に対してエレベータの異常を検出するための判定値データを含む様々な設定データを送信すると共に、エレベータ監視装置１２がエレベータの異常を検出したときにその旨の通報を受信する制御を行う管制センター制御部１５と、エレベータ監視装置１２へ送信される設定データを記憶する記憶部１６とを有している。なお、エレベータ監視装置１２において設定された設定データの変更は、管制センター１４の記憶部１６に記憶された設定データを変更し、変更した設定データを管制センター１４からエレベータ監視装置１２へ送信することによって行われる。
【００２０】
そして、エレベータ監視装置１２の制御部１０は、例えば図示されないがホール呼び釦２１のアップ釦２１ａの押下回数を各階床のホール毎に計測して記憶部９に記録するアップ釦押下回数計測部と、ホール呼び釦２１のダウン釦２１ｂの押下回数を各階床のホール毎に計測して記憶部９に記録するダウン釦押下回数計測部と、かご１内のかご呼び釦１９の押下回数を行先階毎に計測して記憶部９に記録するかご呼び釦押下回数計測部とを有している。
【００２１】
ここで、記憶部９は、例えばアップ釦押下回数計測部によって計測されたアップ釦２１ａの押下回数、ダウン釦押下回数計測部によって計測されたダウン釦２１ｂの押下回数、及びかご呼び釦押下回数計測部によって計測されたかご呼び釦１９の押下回数を過去の所定の期間と現在の所定の期間で集計して利用率と共に記憶しており、これらの過去の所定の期間と現在の所定の期間は、例えば前週の一週間と今週の一週間に設定されている。
【００２２】
従って、例えば図４に示すように記憶部９に記憶された今週の一週間における１階〜５階の行先階のかご呼び釦１９の押下回数は、順に５４回、３４回、４５回、３０回、２３回になっており、１階〜５階のホールのアップ釦２１ａの押下回数は、順に４５回、２３回、２０回、２５回、０回になっており、１階〜５階のホールのダウン釦２１ｂの押下回数は、順に０回、３２回、２１回、３３回、２３回になっている。
【００２３】
また、図４に示す記憶部９に記憶された今週の一週間における１階〜５階の行先階のかご呼び釦１９の押下回数の割合を示す利用率は、例えば今週の一週間における行先階毎のかご呼び釦１９の押下回数を１階〜５階の全行先階のかご呼び釦１９の押下回数の合計で除して求めたものであり、ホール呼び釦２１のアップ釦２１ａ及びダウン釦２１ｂの利用率も同様にして求められている。なお、５階は最上階であり、５階のホールにアップ釦２１ａが設けられていないので、５階のホールのアップ釦２１ａの押下回数は０回になっている。また、１階は最下階であり、１階のホールにダウン釦２１ｂが設けられていないので、１階のホールのダウン釦２１ｂの押下回数は０回になっている。
【００２４】
本実施形態では、エレベータ監視装置１２の制御部１０は、例えば図示されないが、アップ釦押下回数計測部によって計測されたアップ釦２１ａの押下回数のうち、過去の所定の期間におけるアップ釦２１ａの押下回数と現在の所定の期間におけるアップ釦２１ａの押下回数とを各階床のホール毎に比較してアップ釦２１ａが故障したかどうかを判断するアップ釦故障判断部を備えている。
【００２５】
また、制御部１０は、例えば図示されないが、ダウン釦押下回数計測部によって計測されたダウン釦２１ｂの押下回数のうち、過去の所定の期間におけるダウン釦２１ｂの押下回数と現在の所定の期間におけるダウン釦２１ｂの押下回数とを各階床のホール毎に比較してダウン釦２１ｂが故障したかどうかを判断するダウン釦故障判断部を備えている。
【００２６】
従って、上述したアップ釦故障判断部は、例えば現在の所定の期間におけるアップ釦２１ａの押下回数の利用率が過去の所定の期間におけるアップ釦２１ａの押下回数の利用率よりも小さいとき、ダウン釦押下回数計測部によって計測されたダウン釦２１ｂの押下回数のうち、該当する階床のホールの過去の所定の期間におけるダウン釦２１ｂの押下回数と現在の所定の期間におけるダウン釦２１ｂの押下回数とを比較すると共に、かご呼び釦押下回数計測部によって計測されたかご呼び釦１９の押下回数のうち、該当する階床のホールを行先階とする過去の所定の期間におけるかご呼び釦１９の押下回数と現在の所定の期間におけるかご呼び釦１９の押下回数とを比較してアップ釦２１ａが故障したかどうかを判断するようにしている。
【００２７】
ここで、ホール呼び釦２１のアップ釦２１ａが作動不全になって故障すると、利用者が希望する行先階の方向に対して逆方向のダウン釦２１ｂを押下することが想定される。そのため、現在の所定の期間におけるアップ釦２１ａの押下回数の利用率が過去の所定の期間におけるアップ釦２１ａの押下回数の利用率よりも小さくなると共に、現在の所定の期間におけるダウン釦２１ｂの押下回数の利用率が過去の所定の期間におけるダウン釦２１ｂの押下回数の利用率よりも大きくなる。
【００２８】
一方、ホール呼び釦２１のアップ釦２１ａが作動不全になって故障しても、利用者は故障したアップ釦２１ａが設けられたホールを行先階とするかご呼び釦１９を同程度の頻度で押下することが想定されるので、現在の所定の期間におけるかご呼び釦１９の押下回数の利用率が過去の所定の期間におけるかご呼び釦１９の押下回数の利用率と同じになる。
【００２９】
本実施形態では、アップ釦故障判断部は、現在の所定の期間におけるアップ釦２１ａの押下回数の利用率が過去の所定の期間におけるアップ釦の押下回数の利用率よりも小さいとき、ダウン釦押下回数計測部によって計測されたダウン釦２１ｂの押下回数のうち、該当する階床のホールの現在の所定の期間におけるダウン釦２１ｂの押下回数の利用率が過去の所定の期間におけるダウン釦２１ｂの押下回数の利用率よりも大きく、さらにかご呼び釦押下回数計測部によって計測されたかご呼び釦１９の押下回数のうち、該当する階床のホールを行先階とする過去の所定の期間におけるかご呼び釦１９の押下回数の利用率と現在の所定の期間におけるかご呼び釦１９の押下回数の利用率が同じであれば、アップ釦２１ａが故障したと判断するようにしている。
【００３０】
一方、アップ釦故障判断部は、現在の所定の期間におけるアップ釦２１ａの押下回数の利用率が過去の所定の期間におけるアップ釦の押下回数の利用率よりも大きい又は同じときに、アップ釦２１ａが故障していないと判断するようにしている。また、アップ釦故障判断部は、現在の所定の期間におけるアップ釦２１ａの押下回数の利用率が過去の所定の期間におけるアップ釦２１ａの押下回数の利用率よりも小さいとき、ダウン釦押下回数計測部によって計測されたダウン釦２１ｂの押下回数のうち、該当する階床のホールの現在の所定の期間におけるダウン釦２１ｂの押下回数の利用率が過去の所定の期間におけるダウン釦２１ｂの押下回数の利用率よりも小さい又は同じであるか、あるいはかご呼び釦押下回数計測部によって計測されたかご呼び釦１９の押下回数のうち、該当する階床のホールを行先階とする過去の所定の期間におけるかご呼び釦１９の押下回数の利用率と現在の所定の期間におけるかご呼び釦１９の押下回数の利用率が同じでなければ、アップ釦２１ａが故障していないと判断するようにしている。
【００３１】
具体例として、例えば図５に示すように今週の一週間における２階のホールのアップ釦２１ａの押下回数の利用率が前週の一週間におけるアップ釦２１ａの押下回数の利用率よりも少なかったとき、ダウン釦押下回数計測部によって計測されたダウン釦２１ｂの押下回数のうち、２階のホールの今週の一週間におけるダウン釦２１ｂの押下回数の利用率が前週の一週間におけるダウン釦２１ｂの押下回数の利用率よりも大きく、さらにかご呼び釦押下回数計測部によって計測されたかご呼び釦１９の押下回数のうち、２階のホールを行先階とする前週の一週間におけるかご呼び釦１９の押下回数の利用率と今週の一週間におけるかご呼び釦１９の押下回数の利用率が同じであるので、アップ釦故障判断部はアップ釦２１ａが故障したと判断することになる。
【００３２】
同様に、上述したダウン釦故障判断部は、例えば現在の所定の期間におけるダウン釦２１ｂの押下回数の利用率が過去の所定の期間におけるダウン釦２１ｂの押下回数の利用率よりも小さいとき、アップ釦押下回数計測部によって計測されたアップ釦２１ａの押下回数のうち、該当する階床のホールの過去の所定の期間におけるアップ釦２１ａの押下回数と現在の所定の期間におけるアップ釦２１ａの押下回数とを比較すると共に、かご呼び釦押下回数計測部によって計測されたかご呼び釦１９の押下回数のうち、該当する階床のホールを行先階とする過去の所定の期間におけるかご呼び釦１９の押下回数と現在の所定の期間におけるかご呼び釦１９の押下回数とを比較してダウン釦２１ｂが故障したかどうかを判断するようにしている。
【００３３】
本実施形態では、ダウン釦故障判断部は、現在の所定の期間におけるダウン釦２１ｂの押下回数の利用率が過去の所定の期間におけるダウン釦２１ｂの押下回数の利用率よりも小さいとき、アップ釦押下回数計測部によって計測されたアップ釦２１ａの押下回数のうち、該当する階床のホールの現在の所定の期間におけるアップ釦２１ａの押下回数の利用率が過去の所定の期間におけるアップ釦２１ａの押下回数の利用率よりも大きく、さらにかご呼び釦押下回数計測部によって計測されたかご呼び釦１９の押下回数のうち、該当する階床のホールを行先階とする過去の所定の期間におけるかご呼び釦１９の押下回数の利用率と現在の所定の期間におけるかご呼び釦１９の押下回数の利用率が同じであれば、ダウン釦２１ｂが故障したと判断するようにしている。
【００３４】
一方、ダウン釦故障判断部は、現在の所定の期間におけるダウン釦２１ｂの押下回数の利用率が過去の所定の期間におけるダウン釦２１ｂの押下回数の利用率よりも大きく又は同じときに、ダウン釦２１ｂが故障していないと判断するようにしている。また、ダウン釦故障判断部は、現在の所定の期間におけるダウン釦２１ｂの押下回数の利用率が過去の所定の期間におけるダウン釦２１ｂの押下回数の利用率よりも小さいとき、アップ釦押下回数計測部によって計測されたアップ釦２１ａの押下回数のうち、該当する階床のホールの現在の所定の期間におけるアップ釦２１ａの押下回数の利用率が過去の所定の期間におけるアップ釦２１ａの押下回数の利用率よりも小さい又は同じであるか、あるいはかご呼び釦押下回数計測部によって計測されたかご呼び釦１９の押下回数のうち、該当する階床のホールを行先階とする過去の所定の期間におけるかご呼び釦１９の押下回数の利用率と現在の所定の期間におけるかご呼び釦１９の押下回数の利用率が同じでなければ、ダウン釦２１ｂが故障していないと判断するようにしている。
【００３５】
なお、アップ釦故障判断部及びダウン釦故障判断部は、過去の所定の期間におけるアップ釦２１ａ、ダウン釦２１ｂ、及びかご呼び釦１９の押下回数の利用率と現在の所定の期間におけるアップ釦２１ａ、ダウン釦２１ｂ、及びかご呼び釦１９の押下回数の利用率とをそれぞれ比較する際にその差が所定値以下であれば、誤差として取扱うようにしている。
【００３６】
次に、本実施形態に係るエレベータ監視装置１２の動作を図６のフローチャートに基づいて詳細に説明する。
【００３７】
まず、図６に示すようにエレベータ監視装置１２の制御部１０は、ホール呼び釦２１の故障の検出を行うチェック階を最下階の１階にセットする（ステップ（以下、Ｓと記す）１）。そして、制御部１０は、チェック階が最上階であるかどうかを判断する（Ｓ２）。
【００３８】
このとき、制御部１０はチェック階が最上階でないと判断したとき、制御部１０のアップ釦故障判断部は、記憶部９に記憶されたチェック階のホールの今週の一週間におけるアップ釦２１ａの押下回数の利用率と前週の一週間におけるアップ釦２１ａの押下回数の利用率とを比較し、今週の一週間におけるアップ釦２１ａの押下回数の利用率が前週の一週間におけるアップ釦２１ａの押下回数の利用率よりも小さいかどうかを判断する（Ｓ３）。
【００３９】
手順Ｓ３においてアップ釦故障判断部は、今週の一週間におけるアップ釦２１ａの押下回数の利用率が前週の一週間におけるアップ釦２１ａの押下回数の利用率よりも小さいと判断したとき、制御部１０はチェック階が最下階かどうかを判断する（Ｓ４）。このとき、制御部１０はチェック階が最下階でないと判断したとき、制御部１０のアップ釦故障判断部は、記憶部９に記憶されたチェック階のホールの今週の一週間におけるダウン釦２１ｂの押下回数の利用率と前週の一週間におけるダウン釦２１ｂの押下回数の利用率とを比較し、今週の一週間におけるダウン釦２１ｂの押下回数の利用率が前週の一週間におけるダウン釦２１ｂの押下回数の利用率よりも大きいかどうかを判断する（Ｓ５）。
【００４０】
手順Ｓ４において制御部１０はチェック階が最下階であると判断したとき、あるいは手順Ｓ５においてアップ釦故障判断部は、今週の一週間におけるダウン釦２１ｂの押下回数の利用率が前週の一週間におけるダウン釦２１ｂの押下回数の利用率よりも大きいと判断したとき、アップ釦故障判断部は、記憶部９に記憶されたチェック階のホールを行先階とする今週の一週間におけるかご呼び釦１９の押下回数の利用率と前週の一週間におけるかご呼び釦１９の押下回数の利用率とを比較し、今週の一週間におけるかご呼び釦１９の押下回数の利用率が前週の一週間におけるかご呼び釦１９の押下回数の利用率と同じであるかどうかを判断する（Ｓ６）。なお、手順Ｓ４において制御部１０はチェック階が最下階であると判断したときに手順Ｓ６の動作に進む理由は、チェック階が最下階であればホールにダウン釦２１ｂが設けられていないからである。
【００４１】
手順Ｓ６においてアップ釦故障判断部は、今週の一週間におけるかご呼び釦１９の押下回数の利用率が前週の一週間におけるかご呼び釦１９の押下回数の利用率と同じであると判断したとき、アップ釦２１ａが作動不全の故障をしていると判断し（Ｓ１５）、その旨を管制センター１４へ通報して本実施形態に係るエレベータ監視装置１２の動作を終了する。
【００４２】
一方、手順Ｓ２において制御部１０はチェック階が最上階であると判断したとき、手順Ｓ３においてアップ釦故障判断部は、今週の一週間におけるアップ釦２１ａの押下回数の利用率が前週の一週間におけるアップ釦２１ａの押下回数の利用率よりも小さくないと判断したとき、手順Ｓ５においてアップ釦故障判断部は、今週の一週間におけるダウン釦２１ｂの押下回数の利用率が前週の一週間におけるダウン釦２１ｂの押下回数の利用率よりも大きくないと判断したとき、あるいは手順Ｓ６においてアップ釦故障判断部は、今週の一週間におけるかご呼び釦１９の押下回数の利用率が前週の一週間におけるかご呼び釦１９の押下回数の利用率と同じでないと判断したとき、アップ釦２１ａが作動不全の故障をしていないと判断し、制御部１０はチェック階が最下階であるかどうかを判断する（Ｓ７）。なお、手順Ｓ２において制御部１０はチェック階が最上階であると判断したときに手順Ｓ７の動作に進む理由は、チェック階が最上階であればホールにアップ釦２１ａが設けられていないからである。
【００４３】
次に、手順Ｓ７において制御部１０はチェック階が最下階でないと判断したとき、制御部１０のダウン釦故障判断部は、記憶部９に記憶されたチェック階のホールの今週の一週間におけるダウン釦２１ｂの押下回数の利用率と前週の一週間におけるダウン釦２１ｂの押下回数の利用率とを比較し、今週の一週間におけるダウン釦２１ｂの押下回数の利用率が前週の一週間におけるダウン釦２１ｂの押下回数の利用率よりも小さいかどうかを判断する（Ｓ８）。
【００４４】
手順Ｓ８においてダウン釦故障判断部は、今週の一週間におけるダウン釦２１ｂの押下回数の利用率が前週の一週間におけるダウン釦２１ｂの押下回数の利用率よりも小さいと判断したとき、制御部１０はチェック階が最上階かどうかを判断する（Ｓ９）。このとき、制御部１０はチェック階が最上階でないと判断したとき、制御部１０のダウン釦故障判断部は、記憶部９に記憶されたチェック階のホールの今週の一週間におけるアップ釦２１ａの押下回数の利用率と前週の一週間におけるアップ釦２１ａの押下回数の利用率とを比較し、今週の一週間におけるアップ釦２１ａの押下回数の利用率が前週の一週間におけるアップ釦２１ａの押下回数の利用率よりも大きいかどうかを判断する（Ｓ１０）。
【００４５】
手順Ｓ９において制御部１０はチェック階が最上階であると判断したとき、あるいは手順Ｓ１０においてダウン釦故障判断部は、今週の一週間におけるアップ釦２１ａの押下回数の利用率が前週の一週間におけるアップ釦２１ａの押下回数の利用率よりも大きいと判断したとき、ダウン釦故障判断部は、記憶部９に記憶されたチェック階のホールを行先階とする今週の一週間におけるかご呼び釦１９の押下回数の利用率と前週の一週間におけるかご呼び釦１９の押下回数の利用率とを比較し、今週の一週間におけるかご呼び釦１９の押下回数の利用率が前週の一週間におけるかご呼び釦１９の押下回数の利用率と同じであるかどうかを判断する（Ｓ１１）。なお、手順Ｓ９において制御部１０はチェック階が最上階であると判断したときに手順Ｓ１１の動作に進む理由は、チェック階が最上階であればホールにアップ釦２１ａが設けられていないからである。
【００４６】
手順Ｓ１１においてダウン釦故障判断部は、今週の一週間におけるかご呼び釦１９の押下回数の利用率が前週の一週間におけるかご呼び釦１９の押下回数の利用率と同じであると判断したとき、ダウン釦２１ｂが作動不全の故障をしていると判断し（Ｓ１５）、その旨を管制センター１４へ通報して本実施形態に係るエレベータ監視装置１２の動作を終了する。
【００４７】
一方、手順Ｓ７において制御部１０はチェック階が最下階であると判断したとき、手順Ｓ８においてダウン釦故障判断部は、今週の一週間におけるダウン釦２１ｂの押下回数の利用率が前週の一週間におけるダウン釦２１ｂの押下回数の利用率よりも小さくないと判断したとき、手順Ｓ１０においてダウン釦故障判断部は、今週の一週間におけるアップ釦２１ａの押下回数の利用率が前週の一週間におけるアップ釦２１ａの押下回数の利用率よりも大きくないと判断したとき、あるいは手順Ｓ１１においてダウン釦故障判断部は、今週の一週間におけるかご呼び釦１９の押下回数の利用率が前週の一週間におけるかご呼び釦１９の押下回数の利用率と同じでないと判断したとき、ダウン釦２１ｂが作動不全の故障をしていないと判断する。従って、制御部１０はチェック階のホールのホール呼び釦２１が作動不全の故障をしておらず、正常であると判断する（Ｓ１２）。なお、手順Ｓ７において制御部１０はチェック階が最下階であると判断したときに手順Ｓ１２の動作に進む理由は、チェック階が最下階であればホールにダウン釦２１ｂが設けられていないからである。
【００４８】
そして、制御部１０はチェック階が最上階であるかどうかを判断する（Ｓ１３）。このとき、制御部１０はチェック階が最上階でないと判断したとき、制御部１０はチェック階を１階床上に更新し（Ｓ１４）、手順Ｓ２の動作に戻って同様の動作を繰り返す。一方、手順Ｓ１３において制御部１０はチェック階が最上階であると判断したとき、制御部１０は建物の全ての階床のホールのホール呼び釦２１の故障の検出を行ったので、本実施形態に係るエレベータ監視装置１２の動作を終了する。
【００４９】
このように構成した本実施形態に係るエレベータ監視装置１２によれば、今週の一週間におけるエレベータの使用頻度と前週の一週間におけるエレベータの使用頻度は同程度であると考えられるので、制御部１０のアップ釦故障判断部及びダウン釦故障判断部がチェック階のホールの今週の一週間におけるホール呼び釦２１の押下回数と前週の一週間におけるホール呼び釦２１の押下回数とを比較することにより、エレベータの使用頻度が少なくても、ホール呼び釦２１の誤検出を抑えてホール呼び釦２１の故障を正確に検出することができる。
【００５０】
また、本実施形態は、制御部１０のアップ釦故障判断部は、チェック階のホールの今週の一週間におけるアップ釦２１ａの押下回数の利用率が前週の一週間におけるアップ釦２１ａの押下回数の利用率よりも小さいとき、アップ釦２１ａの押下回数の利用率だけでなく、ダウン釦２１ｂ及びかご呼び釦１９の押下回数の利用率を組み合わせてアップ釦２１ａが故障しているかどうかを判断するようにしたので、アップ釦２１ａの故障をより正確に検出することができる。これにより、アップ釦２１ａの故障の検出精度を向上させることができる。
【００５１】
また、本実施形態は、制御部１０のダウン釦故障判断部は、チェック階のホールの今週の一週間におけるダウン釦２１ｂの押下回数の利用率が前週の一週間におけるダウン釦２１ｂの押下回数の利用率よりも小さいとき、ダウン釦２１ｂの押下回数の利用率だけでなく、アップ釦２１ａ及びかご呼び釦１９の押下回数の利用率を組み合わせてダウン釦２１ｂが故障しているかどうかを判断するようにしたので、ダウン釦２１ｂの故障をより正確に検出することができる。これにより、ダウン釦２１ｂの故障の検出精度を向上させることができる。
【００５２】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００５３】
また、本実施形態は、アップ釦故障判断部は、現在の所定の期間におけるアップ釦２１ａの押下回数の利用率が過去の所定の期間におけるアップ釦２１ａの押下回数の利用率よりも小さいとき、ダウン釦押下回数計測部によって計測されたダウン釦２１ｂの押下回数のうち、該当する階床のホールの現在の所定の期間におけるダウン釦２１ｂの押下回数の利用率が過去の所定の期間におけるダウン釦２１ｂの押下回数の利用率よりも大きく、さらにかご呼び釦押下回数計測部によって計測されたかご呼び釦１９の押下回数のうち、該当する階床のホールを行先階とする過去の所定の期間におけるかご呼び釦１９の押下回数の利用率と現在の所定の期間におけるかご呼び釦１９の押下回数の利用率が同じであれば、アップ釦２１ａが故障したと判断するようにした場合について説明したが、この場合に限るものではない。
【００５４】
例えばアップ釦故障判断部は、現在の所定の期間におけるアップ釦２１ａの押下回数の利用率が過去の所定の期間におけるアップ釦２１ａの押下回数の利用率よりも小さいとき、ダウン釦押下回数計測部によって計測されたダウン釦２１ｂの押下回数のうち、該当する階床のホールの現在の所定の期間におけるダウン釦２１ｂの押下回数の利用率が過去の所定の期間におけるダウン釦２１ｂの押下回数の利用率よりも大きければ、アップ釦２１ａが故障したと判断するようにしても良い。
【００５５】
また、アップ釦故障判断部は、現在の所定の期間におけるアップ釦２１ａの押下回数の利用率が過去の所定の期間におけるアップ釦２１ａの押下回数の利用率よりも小さいとき、かご呼び釦押下回数計測部によって計測されたかご呼び釦１９の押下回数のうち、該当する階床のホールを行先階とする過去の所定の期間におけるかご呼び釦１９の押下回数の利用率と現在の所定の期間におけるかご呼び釦１９の押下回数の利用率が同じであれば、アップ釦２１ａが故障したと判断するようにしても良い。
【００５６】
同様に、本実施形態は、ダウン釦故障判断部は、現在の所定の期間におけるダウン釦２１ｂの押下回数の利用率が過去の所定の期間におけるダウン釦２１ｂの押下回数の利用率よりも小さいとき、アップ釦押下回数計測部によって計測されたアップ釦２１ａの押下回数のうち、該当する階床のホールの現在の所定の期間におけるアップ釦２１ａの押下回数の利用率が過去の所定の期間におけるアップ釦２１ａの押下回数の利用率よりも大きく、さらにかご呼び釦押下回数計測部によって計測されたかご呼び釦１９の押下回数のうち、該当する階床のホールを行先階とする過去の所定の期間におけるかご呼び釦１９の押下回数の利用率と現在の所定の期間におけるかご呼び釦１９の押下回数の利用率が同じであれば、ダウン釦２１ｂが故障したと判断するようにした場合について説明したが、この場合に限るものではない。
【００５７】
例えば、ダウン釦故障判断部は、現在の所定の期間におけるダウン釦２１ｂの押下回数の利用率が過去の所定の期間におけるダウン釦２１ｂの押下回数の利用率よりも小さいとき、アップ釦押下回数計測部によって計測されたアップ釦２１ａの押下回数のうち、該当する階床のホールの現在の所定の期間におけるアップ釦２１ａの押下回数の利用率が過去の所定の期間におけるアップ釦２１ａの押下回数の利用率よりも大きければ、ダウン釦２１ｂが故障したと判断するようにしても良い。
【００５８】
また、ダウン釦故障判断部は、現在の所定の期間におけるダウン釦２１ｂの押下回数の利用率が過去の所定の期間におけるダウン釦２１ｂの押下回数の利用率よりも小さいとき、かご呼び釦押下回数計測部によって計測されたかご呼び釦１９の押下回数のうち、該当する階床のホールを行先階とする過去の所定の期間におけるかご呼び釦１９の押下回数の利用率と現在の所定の期間におけるかご呼び釦１９の押下回数の利用率が同じであれば、ダウン釦２１ｂが故障したと判断するようにしても良い。
【符号の説明】
【００５９】
１  かご
５  エレベータ制御部
６，１１  送受信部
７，９，１６  記憶部
８  エレベータ制御装置
１０  制御部
１２  エレベータ監視装置
１３，１７  通信部
１４  管制センター
１５  管制センター制御部
１８  かごドア
１９  かご呼び釦
２０  ホールドア
２１  ホール呼び釦
２１ａ  アップ釦
２１ｂ  ダウン釦
【図１】
2014088228.tif 000003
【図２】
2014088228.tif 000004
【図３】
2014088228.tif 000005
【図４】
2014088228.tif 000006
【図５】
2014088228.tif 000007
【図６】
2014088228.tif 000008